(57)【特許請求の範囲】
【請求項１】
車両内のバッテリーパックの傾きを検知する傾き検知センサ部、
前記バッテリーパック内の上側部および下側部の水分を検知する水分検知センサ部、および
前記傾き検知センサ部および前記水分検知センサ部から各々傾き検知結果値および水分検知結果値を得た後、前記傾き検知結果値および前記水分検知結果値に基づいて前記バッテリーパックの状況別の漏液有無を判断する漏液判断部
を含む、バッテリーパック内の漏液検知装置。
【請求項２】
前記傾き検知センサ部は、
前記バッテリーパックの傾きおよびひっくり返りの有無を検知するジャイロセンサである、請求項１に記載のバッテリーパック内の漏液検知装置。
【請求項３】
前記水分検知センサ部は、
前記上側部および下側部に漏れる冷却液による温度差に基づいて水分を検知する、請求項１または２に記載のバッテリーパック内の漏液検知装置。
【請求項４】
前記バッテリーパックに対する一側方向への傾きが発生する場合、
前記傾き検知センサ部はその傾きに対する傾き検知結果値を前記漏液判断部に送信し、前記漏液判断部はその傾いた方向に位置する上側部および下側部に位置した水分検知センサ部をオン動作させることによって水分検知結果値を得る、請求項１から３のいずれか一項に記載のバッテリーパック内の漏液検知装置。
【請求項５】
前記水分検知センサ部は、
前記バッテリーパック内の上側部および下側部に各々複数備えられる、請求項１から４のいずれか一項に記載のバッテリーパック内の漏液検知装置。
【請求項６】
傾き検知センサ部を介して、車両内のバッテリーパックの傾きを検知するステップ、
水分検知センサ部を介して、前記バッテリーパック内の上側部および下側部の水分を検知するステップ、および
漏液判断部を介して、前記傾き検知センサ部および前記水分検知センサ部から各々傾き検知結果値および水分検知結果値を得た後、前記傾き検知結果値および前記水分検知結果値に基づいて前記バッテリーパックの状況別の漏液有無を判断するステップ
を含む、バッテリーパック内の漏液検知方法。
【請求項７】
前記傾き検知センサ部は、
前記バッテリーパックの傾きおよびひっくり返りの有無を検知するジャイロセンサである、請求項６に記載のバッテリーパック内の漏液検知方法。
【請求項８】
前記水分検知センサ部は、
前記上側部および下側部に漏れる冷却液による温度差に基づいて水分を検知する、請求項６または７に記載のバッテリーパック内の漏液検知方法。
【請求項９】
前記バッテリーパックに対する一側方向への傾きが発生する場合、
前記傾き検知センサ部はその傾きに対する傾き検知結果値を前記漏液判断部に送信し、前記漏液判断部はその傾いた方向に位置する上側部および下側部に位置した水分検知センサ部をオン動作させることによって水分検知結果値を得る、請求項６から８のいずれか一項に記載のバッテリーパック内の漏液検知方法。
【請求項１０】
前記水分検知センサ部は、
前記バッテリーパック内の上側部および下側部に各々複数備えられる、請求項６から９のいずれか一項に記載のバッテリーパック内の漏液検知方法。
【発明の詳細な説明】
【技術分野】
【０００１】
本出願は２０１７年０８月１８日付の韓国特許出願第１０−２０１７−０１０４７８８号に基づいた優先権の利益を主張し、該韓国特許出願の文献に開示された全ての内容は本明細書の一部として含まれる。
【０００２】
本発明は、ジャイロセンサおよび水分検知センサを用いたバッテリーパック内の漏液検知装置および検知方法に関し、より具体的には、バッテリーパック内の冷却（放熱）のために供給される冷却水のパイプ損傷時に発生しうる冷却水漏れを検知するにおいて、ジャイロセンサを用いてバッテリーパックの傾きに応じた漏液発生位置を把握し、水分検知センサを用いて該当領域の上下側の温度差に基づいて漏液の発生有無を判断することによってバッテリーパックの傾きおよび位置に応じた漏液検知の正確度を高めることができ、特に漏液発生の検知が必要な領域に対してのみ水分検知センサをオン動作させることによって不要なエネルギー消費を防止できるようにする、ジャイロセンサおよび水分検知センサを用いたバッテリーパック内の漏液検知装置および検知方法に関する。
【背景技術】
【０００３】
最近、内燃機関の使用を減らし、環境に優しい電気エネルギーを利用するために大容量のバッテリーを取り付けた車両が発売されている。
【０００４】
このような車両用バッテリーは内部に複数のバッテリーパックで形成され、バッテリーパックは多量の熱を放出するに伴ってこのようなバッテリーパックを冷却させるための放熱手段として、現在のところ冷却水パイプを通して冷却水の流れを誘導することによって、バッテリーパックから放出される熱を冷却させている。
【０００５】
この時、冷却水パイプの損傷時、冷却水がバッテリーパック内部に漏れることにより冷却水による電気的ショートが発生しうるが、現在としてはこのような冷却水の漏液あるいは漏液位置を直接に検知できる条件が整えられていない実情である。
【０００６】
そこで、本発明者は、上述した従来のバッテリーパックで発生しうる冷却水漏れに応じた問題を解決するために、ジャイロセンサを用いてバッテリーパックの傾きに応じた漏液発生位置を把握し、水分検知センサを用いて該当領域の上下側の温度差に基づいて漏液の発生有無を判断することによってバッテリーパックの傾きおよび位置に応じた漏液検知の正確度を高めることができ、特に漏液発生の検知が必要な領域に対してのみ水分検知センサをオン動作させることによって不要なエネルギー消費を防止できるようにする、ジャイロセンサおよび水分検知センサを用いたバッテリーパック内の漏液検知装置および検知方法を開発するに至った。
【発明の概要】
【発明が解決しようとする課題】
【０００７】
本発明は、上述した問題を解決するために導き出されたものであって、ジャイロセンサを用いてバッテリーパックの傾きに応じた漏液発生位置を把握し、水分検知センサを用いて該当領域の上下側の温度差に基づいて漏液の発生有無を判断することによってバッテリーパックの傾きおよび位置に応じた漏液検知の正確度を高めることができ、特に漏液発生の検知が必要な領域に対してのみ水分検知センサをオン動作させることによって不要なエネルギー消費を防止できるようにする、ジャイロセンサおよび水分検知センサを用いたバッテリーパック内の漏液検知装置および検知方法を提供しようとする。
【課題を解決するための手段】
【０００８】
本発明の一実施形態によるジャイロセンサおよび水分検知センサを用いたバッテリーパック内の漏液検知装置は、車両内のバッテリーパックの傾きを検知する傾き検知センサ部、前記バッテリーパック内の上側部および下側部の水分を検知する水分検知センサ部、および前記傾き検知センサ部および前記水分検知センサ部から各々傾き検知結果値および水分検知結果値を得た後、前記傾き検知結果値および前記水分検知結果値に基づいて前記バッテリーパックの状況別の漏液有無を判断する漏液判断部を含む。
【０００９】
一つの実施形態において、前記傾き検知センサ部は、前記バッテリーパックの傾きおよびひっくり返りの有無を検知するジャイロセンサであることを特徴とする。
【００１０】
一つの実施形態において、前記水分検知センサ部は、前記上側部および下側部に漏れる冷却液による温度差に基づいて水分を検知してもよい。
【００１１】
一つの実施形態において、前記バッテリーパックに対する一側方向への傾きが発生する場合、前記傾き検知センサ部は、その傾きに対する傾き検知結果値を前記漏液判断部に送信し、前記漏液判断部は、その傾いた方向に位置する上側部および下側部に位置した水分検知センサ部をオン動作させることによって水分検知結果値を得てもよい。
【００１２】
一つの実施形態において、前記水分検知センサ部は、前記バッテリーパック内の上側部および下側部に各々複数備えられてもよい。
【００１３】
本発明の他の実施形態によるジャイロセンサおよび水分検知センサを用いたバッテリーパック内の漏液検知方法は、傾き検知センサ部を介して、車両内のバッテリーパックの傾きを検知するステップ、水分検知センサ部を介して、前記バッテリーパック内の上側部および下側部の水分を検知するステップ、および漏液判断部を介して、前記傾き検知センサ部および前記水分検知センサ部から各々傾き検知結果値および水分検知結果値を得た後、前記傾き検知結果値および前記水分検知結果値に基づいて前記バッテリーパックの状況別の漏液有無を判断するステップを含む。
【発明の効果】
【００１４】
本発明の一側面によれば、バッテリーパック内の冷却（放熱）のために供給される冷却水のパイプ損傷時に発生しうる冷却水漏れを検知するにおいて、ジャイロセンサを用いてバッテリーパックの傾きに応じた漏液発生位置を把握し、水分検知センサを用いて該当領域の上下側の温度差に基づいて漏液の発生有無を判断することによってバッテリーパックの傾きおよび位置に応じた漏液検知の正確度を高めることができ、特に漏液発生の検知が必要な領域に対してのみ水分検知センサをオン動作させることによって不要なエネルギー消費を防止できるという利点を有する。
【図面の簡単な説明】
【００１５】
【図１】本発明の一実施形態によるジャイロセンサおよび水分検知センサを用いたバッテリーパック内の漏液検知装置１００の構成を概略的に示す図である。
【００１６】
【図２】図１に示されたジャイロセンサおよび水分検知センサを用いたバッテリーパック内の漏液検知装置１００を用いてバッテリーパック２の各状態に応じて漏液有無を検知する過程を示す図である。
【００１７】
【図３】図１に示されたジャイロセンサおよび水分検知センサを用いたバッテリーパック内の漏液検知装置１００を用いてバッテリーパック２の漏液有無を検知する一連の過程を順に示すフローチャートである。
【発明を実施するための形態】
【００１８】
以下では本発明の理解を助けるために好ましい実施形態を提示する。但し、下記の実施形態は本発明をより容易に理解するために提供されるものに過ぎず、本実施形態によって本発明の内容が限定されるものではない。
【００１９】
図１は、本発明の一実施形態によるジャイロセンサおよび水分検知センサを用いたバッテリーパック内の漏液検知装置１００の構成を概略的に示す図であり、図２は、図１に示されたジャイロセンサおよび水分検知センサを用いたバッテリーパック内の漏液検知装置１００を用いてバッテリーパック２の各状態に応じて漏液有無を検知する過程を示す図である。
【００２０】
図１および図２を参照すれば、本発明の一実施形態によるジャイロセンサおよび水分検知センサを用いたバッテリーパック内の漏液検知装置１００は、大きく、傾き検知センサ部１１０、水分検知センサ部１２０および漏液判断部１３０を含んで構成されることができる。
【００２１】
先ず、傾き検知センサ部１１０は、車両１内のバッテリーパック２の傾きを検知する役割をすることができ、例えば、バッテリーパック２の各方向に対する傾きおよびひっくり返りの有無を検知する役割をすることができる。
【００２２】
図２を参照すれば、車両１が傾くことによりバッテリーパック２も共に傾くかまたはひっくり返るようになり、傾き検知センサ部１１０は、このような傾きおよびひっくり返りの有無を検知するジャイロセンサとして備えられることによって、バッテリーパック２が平地状態に位置するか、傾斜状態に位置するか、または車両がひっくり返ることによりバッテリーパック２も共にひっくり返った状態に位置するなどを判断する役割をすることができる。
【００２３】
このような傾き検知センサ部１１０は検知された傾き検知結果値を後述する漏液判断部１３０に提供することによって、漏液判断部１３０を介してその傾いた方向に位置する水分検知センサ部１２０のみをオン動作させるようにすることができる。
【００２４】
例えば、車両１が左側に４５度の角度で傾く場合、傾き検知センサ部１１０は、現在車両１およびバッテリーパック２が左側に４５度の角度で傾いたことに対する傾き検知結果値を後述する漏液判断部１３０に提供し、漏液判断部１３０は、バッテリーパック２の左側に位置する水分検知センサ部１２０のみをオン動作させるようになる。
【００２５】
次に、水分検知センサ部１２０は、バッテリーパック２内の水分を検知する役割をすることができ、特にバッテリーパック２内の上側部および下側部に各々複数備えられることによって、バッテリーパック２が平地状態に位置するか、ある方向に傾くか、または上下がひっくり返る場合、バッテリーパック２の下部、左側、右側、上側などのように傾きと関連した領域の漏液に応じた水分を検知することができる。
【００２６】
より具体的には、水分検知センサ部１２０はバッテリーパック２内の上側部および下側部の各々に備えられることによって、バッテリーパック２内の上側部および下側部の各々の温度差を判断するようになり、例えば、バッテリーパック２内の下側部に漏液が発生する場合には、該当領域に位置する水分検知センサ部１２０と上側部に位置する水分検知センサ部１２０との間には温度差が発生し、水分検知センサ部１２０はこのような温度差に対する水分検知結果値を後述する漏液判断部１３０に提供することによって、漏液判断部１３０を介して現在バッテリーパック２内の下部に漏液が発生したことを判断できるようになる。
【００２７】
図２を参照すれば、車両１が平地に位置することによりバッテリーパック２が平らな状態を維持する場合には、バッテリーパック２内に位置した複数の水分検知センサ部１２０のうち下側部に位置した水分検知センサ部１２０がオン動作してバッテリーパック２の上側部と下側部との間の温度差を判断し、車両２が傾斜路に位置することによりバッテリーパック２が一側方向（例えば、左側４５度方向あるいは後方４５度方向）に位置する場合には、バッテリーパック２内に位置した複数の水分検知センサ部１２０のうち左側あるいは後方の下側部に位置する水分検知センサ部１２０がオン動作してバッテリーパック２が傾いた領域に対する上側部と下側部との間の温度差に対する水分検知結果値を後述する漏液判断部１３０に提供することによって、漏液判断部１３０を介して現在バッテリーパック２内の傾いた領域に漏液が発生したことを判断できるようになる。
【００２８】
これは、漏液が発生した部分で水分検知が必要な状況に対してのみ水分検知センサ部１２０を稼動するための構成に該当し、それにより、不要な水分検知センサ部１２０の動作を防止して不要な電力消耗を防止できるようになる。
【００２９】
次に、漏液判断部１３０は、上述した傾き検知センサ部１１０から傾き検知結果値を得、水分検知センサ部１２０から水分検知結果値を得た後、それに基づいてバッテリーパック２の状況別（例えば、バッテリーパック２の傾いた状態）の漏液有無を判断する役割をすることができる。
【００３０】
例えば、車両１およびバッテリーパック２が左側あるいは後方に４５度の角度で傾いた場合には、漏液判断部１３０は、それに対する傾き検知結果値に基づいて該当領域に位置する下側の水分検知センサ部１２０のみをオン動作させることによって該当領域に対する漏液有無を検知および判断し、仮に車両１およびバッテリーパック２が右側あるいは前方に４５度の角度で傾いた場合には、漏液判断部１３０は、それに対する傾き検知結果値に基づいて該当領域に位置する下側の水分検知センサ部１２０のみをオン動作させることによって該当領域に対する漏液有無を検知および判断するようになる。
【００３１】
次に、図３に基づき、このようなジャイロセンサおよび水分検知センサを用いたバッテリーパック内の漏液検知装置１００を用いてバッテリーパック２の漏液有無を検知する過程について説明する。
【００３２】
図３は、図１に示されたジャイロセンサおよび水分検知センサを用いたバッテリーパック内の漏液検知装置１００を用いてバッテリーパック２の漏液有無を検知する一連の過程を順に示すフローチャートである。
【００３３】
図３を参照すれば、先ず、傾き検知センサ部１１０を介して、車両内のバッテリーパック２の傾きを検知し（Ｓ３０１）、水分検知センサ部１２０を介して、バッテリーパック２内の水分を検知する（Ｓ３０２）。
【００３４】
前記ステップＳ３０１およびステップＳ３０２別に各々傾き検知結果値および水分検知結果値を漏液判断部１３０に提供するが（Ｓ３０３）、漏液判断部１３０は、このような傾き検知結果値および水分検知結果値に基づいてバッテリーパック２の状況別の漏液有無を判断する（Ｓ３０４）。
【００３５】
以上、本発明の好ましい実施形態を参照して説明したが、該技術分野の熟練した当業者であれば、下記の特許請求の範囲に記載された本発明の思想および領域から逸脱しない範囲内で本発明を多様に修正および変更できることを理解することができるであろう。
【図１】
0006777279.tif 000002
【図２】
0006777279.tif 000003
【図３】
0006777279.tif 000004